(57)【要約】【課題】コピー先の記憶システム内のローカルペアボリュームをコピー元から容易に制御可能に構成する。併せてコピー元とコピー先の接続環境を統合する。【解決手段】コピー元上位装置から、コピー先の記憶システムの論理ボリュームを変更する場合において、コピー元上位装置からのコマンドをコピー元記憶制御装置で、リモートコピーデータを送信するインタフェースプロトコルに変換し、コピー先の記憶制御装置に送信する。【効果】コマンド転送のために複数の異なる接続環境構築の必要がなくなり、記憶システムの環境構築が容易になるとともに環境構築にかかる費用を低できる【選択図】　図２
2004030254.tif 000002
【特許請求の範囲】
【請求項１】
上位装置からのデータの書き込みや読み出し命令を受領して論理ボリュームに対してデータの書き込みや読み出しを制御する記憶制御装置を含む記憶システムであって、
前記記憶制御装置は、他の記憶制御装置とインターフェースケーブルを介して接続されるポート有し、
前記上位装置から他の記憶制御装置内のローカルペアボリュームの設定に関するコマンドを受領する受領部と、
前記受領部で受領したコマンドを解析する解析部と、
前記コマンドを変換する変換部とを有し、
前記解析部で解析したコマンドが前記他の記憶制御装置内のローカルペアボリュームの制御に関するものであると解析された場合には、前記コマンド変換部が、前記インターフェースケーブルのプロトコルに適合するように前記コマンドを変換することを特徴とする記憶システム。
【請求項２】
記憶制御装置の論理ボリュームと他の記憶制御装置の論理ボリュームとで第１のペアボリュームを構築する第１のステップと、
前記第１のステップで構築された第１のペアボリュームをサスペンド状態に推移させる第２のステップと、
前記第２のステップによって、前記第１のペアボリュームがサスペンド状態に推移した場合に、前記第１のステップでペアボリュームとして構築された前記他の記憶装置の論理ボリュームと、当該他の記憶装置の他の論理ボリュームとを第２のペアボリュームとして構築する第３のステップとからなり、
前記第３のステップにおける第２のペアボリュームを構築に係るコマンドが、前記記憶制御装置から、コマンド解析部を介して、コマンド変換されて前記他の記憶制御装置に発行されることを特徴とする記憶システムの制御方法。
【請求項３】
請求項２記載の記憶システムの制御方法において、前記第２のペアボリュームの構築に係るコマンドの実行が完了した場合に、前記他の記憶制御装置から、前記記憶制御装置を介して、前記上位装置で認識されることを特徴とする記憶システムの制御方法。
【発明の詳細な説明】
【０００１】
【発明の属する技術分野】
本発明は、情報処理システム等で用いられる記憶システムの制御技術に関し、特に、遠隔地に配置された記憶システム間をリモートリンクによって接続してデータを多重化する技術等に適用して有効な技術に関する。
【０００２】
【従来の技術】
記憶システムは、蓄積されたデータが喪失された場合を想定して、データを多重化して保持するように構成されている。また災害などでデータが喪失する場合も想定して、記憶システムを、さらに遠隔地にも配置し、記憶システム間をリモートリンク等で接続して、データの多重化を行っている。
【０００３】
最近では、コピー元となる記憶システム（以下、コピー元記憶システムと言う。）から送信されるデータを受領してデータの多重化を図るための遠隔地の記憶システム（以下、コピー先記憶システムという。）においても、さらにその受領したデータ群の複製を保持するように構成して、コピー先の記憶システムでの障害等にも備えている。
【０００４】
またこのような障害対策のためだけでなく、コピー先の記憶システムのデータを他のアプリケーションソフトで利用するために、コピー先記憶システム内のデータの複製を生成することもある。このようなデータ複製のためのボリュームをペアボリュームといい、ペアボリュームは、同じ記憶システム内においてペアを形成するローカルペアボリュームと、異なる記憶システム間で、ペアを構成するリモートペアボリュームに大別される。
【０００５】
ところで、このコピー先の記憶システム内の論理ボリュームを制御するためには、コピー先の記憶システムに接続される上位装置（以下、コピー先上位装置という。）から配下にあるコピー先の記憶システムに対して、論理ボリュームの制御に関するコマンドを直接発行する必要がある。このコピー先上位装置からのコマンドによってペアとなる論理ボリュームの制御を行うのである。ここで論理ボリュームの制御とは、論理ボリュームでペアボリュームを構成したり、そのペアボリュームの状態を変更したり、或いはペアの関係を解除したりすることをいう。
【０００６】
このような論理ボリュームの制御を遠隔地にあるコピー元記憶システムから制御しようとする場合は、コピー元記憶制御装置に接続される上位装置（以下、コピー元上位装置という。）からＥＳＣＯＮケーブルを直接コピー先の記憶システム内の記憶制御装置にエクステンダを介して接続し、論理ボリュームに関する命令を発行する方法がある。他の方法として、記憶システム間のリモートコピーのために、コピー元記憶システム内の記憶制御装置と、コピー先記憶システム内の記憶制御装置の間を接続しているＥＳＣＯＮケーブル上のエクステンダを用いる方法がある。この場合は、コピー元上位装置からのコマンドを、その配下の記憶制御装置間に設けられたエクステンダを介して、コピー先上位装置に転送し、コマンドの転送を受けたコピー先上位装置から、論理ボリュームの制御を行うのである。
【０００７】
【発明が解決しようとする課題】
しかしながら、このようなコマンドの転送にあたって、コピー元記憶制御装置とコピー先記憶制御装置間のリモートコピーのためのデータ転送インタフェースプロトコルが、コピー元上位装置とコピー元記憶制御装置間とは異なるインタフェースプロトコルを使用するような場合には、異なるインタフェース用のエクステンダがそれぞれ必要となる。
【０００８】
上記について一例をあげるならば、コピー元上位装置とコピー元記憶制御装置間はインタフェースとしてシリアルインタフェース（ＥＳＣＯＮ）ケーブルを使用しており、コピー元記憶制御装置とコピー先記憶制御装置間はファイバ（Ｆｉｂｒｅ）チャネルインタフェースケーブルを用いて、データの転送が行われている場合が想定される。このような環境下ではＥＳＣＯＮとＦｉｂｒｅのそれぞれのエクステンダを準備しなければならない。またコピー元記憶システムの上位装置はコマンド発行先について、コピー元記憶システム内の記憶制御装置に発行するのか、コピー先記憶システム内の記憶制御装置に発行するのかを意識することが必要になるという問題も生じる。
【０００９】
本発明はこのような点に鑑みなされたもので、記憶システム間におけるリモートコピーとコピー先記憶システムのボリューム制御するために必要であった異種のエクステンダを含むリンク環境を統一し、システム構築、管理を容易にし、さらに構築に要する費用の低減を図ることにある。またこのようにコピー先サイトにおけるローカルペアボリュームの制御がされた場合においても、コピー元とコピー先のリモートペアボリューム間のデータの同一性を保証することにある。
【００１０】
【課題を解決するための手段】
上記の問題を解決するために本願発明におけるコピー先論理ボリュームの制御方法は、遠隔地にあるコピー先記憶システム内の論理ボリュームの制御を、コピー元上位装置からコピー元記憶システム内の記憶制御装置に発行し、この記憶制御装置に発行されたコマンドを、リモートコピー用のインタフェースに適合するように変換し、リモートリンクを使用して、コピー先記憶システムの記憶制御装置に転送し、コピー先記憶システムの論理ボリュームの制御を行う。
【００１１】
さらに詳細には、上位装置からのデータの書き込みや読み出し命令を受領して論理ボリュームに対してデータの書き込みや読み出しを制御する記憶制御装置を含む記憶システムにおいて、この記憶制御装置は、他の記憶制御装置とインターフェースケーブルを介して接続されるポートを有し、さらに前記上位装置から他の記憶制御装置内のローカルペアボリュームの設定に関するコマンドを受領する手段と、
前記受領したコマンドを解析する解析部と、前記コマンドを変換する変換部とを有し、前記解析部で解析したコマンドが前記他の記憶制御装置内のローカルペアボリュームの制御に関するものであると解析された場合には、前記コマンドコマンド変換部が、前記インターフェースケーブルのプロトコルに適合するように前記コマンドを変換する。
【００１２】
【発明の実施の形態】
以下、図面を参照して、本発明の実施形態を詳細に説明する。
図１は、本発明の一実施例である情報処理システムの構成例を示す図である。情報処理システム１６は、各種データの演算処理を行なう上位装置１と、上位装置１からのデータの書き込みや読み出し命令に従ってデータの書き込みや読み出しを行う記憶システムによって構成される。上位装置は、ホストコンピュータと呼ばれることもある情報処理装置である。
【００１３】
記憶システム１００は、上位装置１からの命令や、図示しない保守用の外部処理装置からの命令に従って、データの記憶に関する制御を行う記憶制御装置２を有し、この記憶制御装置２は、複数の論理ボリュームからなる記憶部３へのデータの書き込みや読み出しを制御している。ここで論理ボリュームとは、ハードディスク等の物理ディスクを統合分類して仮想的にマッピングした論理的な記憶ボリュームのことで、上位装置等のホストコンピュータはこのような論理ボリュームを記憶部として認識して、各種命令を記憶制御装置に対して発行する。記憶制御装置は、配下に図示しないハードディスク等の物理ディスクを有し、この物理ディスクと先述の論理ボリュームとの対応付けを行ない所定の物理ディスクに対してデータの読み出しや書き込みを行うのである。
【００１４】
記憶制御装置２は、チャンネルポート６を介して、上位装置１に接続され、上位装置１からの命令やデータを受領する。この記憶制御装置２は、チャンネルポート６を介して、受領したコマンドを内部のマイクロプロセッサ４を用いて処理する。上位装置１から読み出しや書き込みの要求をされたデータは、キャッシュメモリ５に一時的に蓄積される。マイクロプロセッサ４は、このキャッシュ５上に蓄積されたデータを上位装置１からの命令に従って、順次処理して、記憶部３への書き込みや読み出しを処理する。
【００１５】
本実施形態の情報処理システムは、情報処理システムを構成する記憶システムを、インターフェースケーブル１５を介して、遠隔地にある他の情報処理システムの記憶システムと接続されている。
【００１６】
図２を用いて、本願発明の１実施例における記憶システムをさらに詳細に説明する。本実施形態の情報処理システムはコピー元となるコピー元記憶システムと、コピー（バックアップ）先であるコピー先記憶システムとで構成される。図中コピー元を正側、コピー先を副側として示す。
【００１７】
このコピー元記憶システムは、コピー元上位装置１に接続され複数の論理ボリューム＃００、＃０１、＃０２を管理するコピー元記憶制御装置２を有する。管理する論理ボリュームの数は、装置の構成によって、適宜変更可能である。
【００１８】
図１において説明したとおり、記憶制御装置２は、内部に複数のプロセッサ４を有し、このプロセッサは、上位装置１からのデータの読みだしや書き込みの命令をマイクロプログラムに従って処理する。記憶制御装置２は、さらに、記憶システムに接続されるハードディスクなどの物理ディスクを論理ボリュームに関連付けて制御し、上位装置１からのデータの書き込みや読み出し要求が、ハードディスクに対して実行されるのを制御する。
【００１９】
コピー先記憶システムには、副側上位装置８、コピー先記憶制御装置９によって、コピー元記憶システムとほぼ同様に構成される。
【００２０】
記憶制御装置２、９は、記憶制御装置間ポート７及び１３を介して、インターフェースケーブル１５により接続されている。
【００２１】
図１において説明した複数のプロセッサ４はマイクロプログラムによって各種の制御を行うように構成される。図２においては、本願発明においてなされる各種処理を含めて概念的に図示した。
【００２２】
コピー元の記憶制御装置２は、内部にコピー元上位装置１からのコマンドを受領するコマンド受領部２０、コマンド受領部２０で受領したコピー元上位装置１からのコマンドをコピー先記憶制御装置９へ転送する際のコマンドに変換するコマンド変換部２１、コマンド変換部２１で変換されたコマンドのコピー先記憶制御装置９へ発行、及びコピー先記憶制御装置９からの応答を受領するコマンド発行受領部２２、コピー元記憶システムとコピー先記憶システム間のリモートコピーペアを管理するリモートコピー正副ペア管理テーブル２３を有する。　他方、コピー先記憶制御装置９内には、コピー元記憶制御装置２から発行されるコマンドを受領するコマンド受領部２４、受領したコマンドを解析するコマンド解析部２５、リモートコピーのペア状態を管理するペア状態管理部２６、コピー先記憶システム内部で形成されるペア状態を管理するローカルコピーペア管理テーブル２７がある。
【００２３】
ここで、ペアについて説明する。ペアボリュームとは、２つの論理ボリューム間で、一方の論理ボリュームのデータを他方の論理ボリュームにコピーすることにより論理ボリュームの複製を作成するために関連づけられた論理ボリュームのことで、このペアボリュームのうち、１のボリュームに書き込まれたデータが、他のボリュームにもその都度、書き込まれる状態をペアボリュームが同期しているといいペアボリュームのデータは一致している。また、このようなペアボリュームの内一つに何らかの障害が発生した場合や、他のアプリケーションでボリューム内のデータを利用するような場合に、この同期の状態を解除することができる。この状態をＳＵＳＰＥＮＤ状態とよび、ペアボリュームは同期していない（ペアボリュームのデータは不一致である）。この間いずれかに書き込まれたデータは、差分情報として、蓄積される。
【００２４】
一般に、このような論理ボリュームのペア関係は、上位装置からの指示よって指定され、その指定に基づいて配下の記憶制御装置は、論理ボリュームのペア関係を制御する。この論理ボリュームの制御は、上位装置１のようなホストコンピュータからの指示による他、記憶制御装置に外部ＬＡＮ等を介して他の情報機器からコマンドを送信することもできる。
【００２５】
記憶システムは、記憶制御装置によって論理ボリュームの使用態様を制御することで、データバックアップや、データの利用の便宜を図かるように構成されている。
【００２６】
ところで、前述の通りこのペアボリュームは、リモートコピーペアと、ローカルコピーペアに大別される。前者は、異なる記憶制御装置の論理ボリューム同士がペアを組んでいる状態をいい、後者は同一記憶制御装置の論理ボリューム同士がペアを組んでいる状態をいう。
【００２７】
図２は、記憶制御装置２によって管理される論理ボリュームである＃００（以下、Ｍ−ＶＯＬという。）と記憶制御装置９によって管理される論理ボリュームである＃１０（以下、Ｒ−ＶＯＬという。）がリモートコピーのペアとなっている状態を示している。
【００２８】
さらに、記憶制御装置９は、論理ボリューム＃１１（以下、Ｔ−ＶＯＬという。）　を、上述のＲ−ＶＯＬのローカルコピーペアとして管理している。このような構成にすることで、コピー元記憶システムにおいて、災害などで障害が発生した場合でもコピー先記憶システムで業務を受け継ぐことができ、かつ、コピー先となっているＲ−ＶＯＬに障害が発生した場合においては、Ｔ−ＶＯＬをそのリカバー用に用いることができる。一方、このＴ−ＶＯＬのＲ−ＶＯＬとのペア状態を上述のようにＳＵＳＰＥＮＤ状態に推移することによって、このＴ−ＶＯＬが他のアプリケーションソフトから読み出されるのを可能とする。
【００２９】
ここで本願発明の特徴であるコピー先記憶制御装置２に管理される論理ボリュームがコピー元上位装置１からの命令発行によって制御される場合を、図３を用いてさらに詳細に説明する。
【００３０】
まずコピー元上位装置１は、発行しようとするコマンドが、コピー先の論理ボリューム制御に関するものである場合には、コマンドのヘッダーに例えば「ＲＭ」というコードを付して、コマンドを発行する。コマンドには、ペアを構成する命令や、ペアを解除する命令、或いはペアとなっているボリュームをサスペンドするような命令があり、コマンドは、命令とその命令の対象となる論理ボリュームを特定する論理ボリューム番号からなる。
【００３１】
発行されたコマンドは、コピー元記憶制御装置２で受領される（ステップ１０１）と、コマンド受領部２０にて受領したコマンドの内容解析を行う（ステップ１０２）。例えば上述の「ＲＭ」というヘッダーの有無を検出することによって、そのコマンドがコピー先の記憶制御装置９に対するものかどうかを識別する。この解析によって、コマンドがコピー先記憶制御装置９に対して発行するべきものであることが判明した場合、記憶制御装置のワークラムにコピー先のローカルペアボリュームに関する制御実施を要するという情報が設定される。
【００３２】
コマンド変換部は、コマンドを受領すると、この情報を参照してコピー先記憶制御装置へ制御実施を要するという設定がされているかどうかを識別する。コピー先の記憶制御装置への制御実施を要するという設定がされている場合には、コマンドの変換を行う。このコマンド変換は、コピー元記憶システムとコピー先記憶システムとの間を接続するデータ転送の方式に合わせるための変換で、この変換によって、記憶システム間に他の情報伝達のためのリンク手段を設ける必要がなくなる。即ち、元々、リモートコピーを行うために設けられているインターフェースケーブル１５を利用できるようになるのである。
【００３３】
換言すれば、コマンドの変換は、コピー元の上位装置１と、コピー元の記憶制御装置２との間でのコマンドの通信プロトコルと、コピー元記憶制御装置２と、コピー先記憶制御装置９との間のリモートコピー用の通信プロトコルが異なることに鑑みなされるもので、このコマンド変換部での変換によって、コピー元記憶制御装置２からコピー先記憶制御装置９に対して行われるデータ通信のためのケーブルを利用できるようになる。（１０４）
図２で説明すれば、１５のインターフェースケーブルを用いて、コピー元記憶制御装置２から、コピー先記憶制御装置９へコマンドが送信されることになる。（１０５）
他方、コピー先記憶制御装置９のローカルペアボリュームへの制御コマンドでない場合には、コピー元記憶装置２内のローカルペアボリュームの制御をコマンドに従って行う。（１０６）
一方、図３に示すように、コピー元記憶制御装置２からコマンドを受領したコピー先記憶制御装置９は、そのコマンドを解析して、（２０１から２０２）そのコマンドに従って、論理ボリュームの構成を変更し、（２０３）完了後に完了通知をコピー元記憶制御装置２に対して発行する（２０４）。
【００３４】
例えば、コマンドの内容がペア状態をＤｕｐｌｅｘ状態にするというものである場合には、指定された論理ボリューム間がＤｕｐｌｅｘ状態になるように構成を変移させる。さらに具体的には、コピー先記憶制御装置９内のローカルペア管理テーブル２６にペアに関する情報を格納する。ローカルペア管理テーブル２６は、ペアとなる論理ボリュームのボリューム番号と、それらのボリューム間にＤｕｐｌｅｘ状態が設定されていることを示す情報とで構成される。今後このコピー先記憶制御装置９がデータの書き込み命令を受領した場合は、書き込み命令を指示された論理ボリュームにデータを書き込むとともにローカルペア管理テーブル２６を参照してローカルペアとなっている論理ボリュームにも同じ情報を書き込むように制御される。これらの制御は、図１に示すプロセッサ１１によって実行され、その実行の態様は、マイクロプログラムとして与えられる。
【００３５】
ここで、コピー元と、コピー先の双方の記憶制御装置に関連するリモートコピーペアの制御を要する場合には、コピー元記憶制御装置２においては、そのコマンドを処理して、リモートコピーペアの正側となる配下の論理ボリュームの設定を行い、併せて、リモートコピーペアの副側となるコピー先の論理ボリュームの設定を行うために、コピー先記憶制御装置９へ、コマンドを送信する。
【００３６】
この場合のコマンド送信も、コマンド変換部によって変換することで、このコマンドも、インターフェースケーブル１５を用いて行うことが可能となる。具体的には、コピー元記憶制御装置２内のリモートコピーペア管理テーブル２３と、コピー先記憶制御装置９内のリモートコピーペア管理テーブル２７にそれぞれ、ペアの状態を示す情報と、対象となる論理ボリュームを示す情報が蓄積される。これら蓄積されたリモートコピーペアに関する情報を参照して、それぞれの記憶制御装置内のマイクロプロセッサは、論理ボリュームへのデータの書き込みを処理する。
ところで、本願発明は、これまでの説明で示すとおり、コピー先とコピー元の論理ボリューム同士においてペア関係を構成するリモートコピーペアを形成する（図２に示す＃００（Ｍ−ＶＯＬ）と＃１０（Ｒ−ＶＯＬ））だけでなく、リモートコピーのコピー先となっている論理ボリュームにローカルペアボリューム（＃１０（Ｒ−ＶＯＬ）と＃１１（Ｔ−ＶＯＬ）））も形成可能に構成されている。
【００３７】
ここで、リモートコピーペアが形成されているコピー先論理ボリューム＃１０（Ｒ−ＶＯＬ）に対して無作為にコピー元の記憶装置の上位装置１が、ローカルペアの解除や設定を行うと、どの論理ボリュームに対してどのタイミングまでデータの同一性が維持されているかということを保証できなくなる。
【００３８】
そこで、ローカルペアボリュームの操作を行う際には、リモートコピーペアがＤｕｐｌｅｘ状態にある場合は、コピー元上位装置１からリモートコピーペアのサスペンド指示を発行するように構成する。無論この場合は、リモートコピーペアとなっているボリュームを配下に有する記憶制御装置２，９がそれぞれ、自身の設定の変更を行わなければならないので、コピー先記憶制御装置９に対しても該当する論理ボリュームをサスペンド状態に推移させるコマンドを送信する必要がある。この場合にも上述のようなコマンド変換を行ない、コマンドをコピー先の記憶制御装置９に転送することで、コピー元記憶制御装置２と、コピー先記憶制御装置９とを容易にサスペンド状態への切り替えが行える。
【００３９】
さらに、この時の指示パラメータ内にコピー先記憶制御装置２でローカルコピーペアの形成指示も付加する。このようにすることで、一旦リモートコピー間のリモートコピーペアを任意のタイミングでサスペンド（Ｓｕｓｐｅｎｄ）し、その時点のローカルコピーペアを生成する。このことにより、サスペンドした時点のコピー元、コピー先のデータの状態が同一であることを保証できるのである。
【００４０】
さらに詳細には、コピー元記憶制御装置２は、リモートコピーをサスペンドする旨のコマンドを受領すると、リモートコピーの対象となっているＭ−ＶＯＬをＳｕｓｐｅｎｄ過渡状態に遷移するとともにコピー先記憶制御装置９にコピー元記憶制御装置２から状態遷移コマンドを発行する。このコマンド内にローカルコピーペア形成指示が付加され、これを受領したコピー先の記憶制御装置９側ではリモートコピーペアをサスペンド状態に確定し、ローカルコピーペアの形成に関する処理を行う。具体的には、＃１０のＲ−ＶＯＬ内のデータを＃１１のＴ−ＶＯＬにコピーするという処理が実施される。
【００４１】
これにより、コピー先上位装置１からは１コマンド発行するだけでリモートコピーペアの状態変更とともにローカルペアボリュームが作成でき、リモートコピー側で災害リカバリ用および他のアプリケーション用のボリュームとして使用可能なローカルコピーペアのＴ−ＶＯＬを作成することができる。
【００４２】
コピー元上位装置１でローカルコピーペアの状態遷移が完了したことを認識するためにはローカルコピーペアがデュウプレックス（Ｄｕｐｌｅｘ）またはサスペンド（Ｓｕｓｐｅｎｄ）になった時に状態変化の結果を、コピー先の記憶制御装置９から、コピー元の記憶制御装置２に報告し、これをコピー元情報記憶装置２からコピー元上位装置１へ割り込み報告することで、状態遷移完了を認識することができる。
【００４３】
さらに好適な実施例としては、コピー元上位装置１にコピー先記憶制御装置９の構成情報を取得するためのアプリケーションプログラムを常駐させ、このプログラムを用いて、コピー元上位装置１は、コピー元の記憶制御装置２を介して、コピー先の記憶制御装置９の構成情報を要求するように構成することもできる。この方法は、ＬＡＮやネットワークを介して、コピー元、コピー先の上位装置が相互の構成情報を交換するように構成することもできるし、さらに先述のコマンド変換方式を用いて上位装置配下の記憶制御装置を介してコマンドの送受信を行えば、上位装置間の情報トラフィックによって設定が遅延することを防止できる。
【００４４】
【発明の効果】
本発明によれば、コマンド転送のために複数の異なる接続環境構築の必要がなくなり、記憶システムの環境構築が容易になるとともに環境構築にかかる費用を低減できる、という効果がある。また、コピー元となる正側記憶システム１００の記憶制御装置２を介して、正側上位装置からの命令送信するので、コピー元（正側）とコピー先（副側）の論理ボリュームの設定を互いに装置状態を配慮しながら行うことができる。またコマンドの特性に応じたコマンド組み合わせのためのパラメータを設定することで、同タイミングで行わなければデータの同一性を保証できないようなペア構成の変更処理においても、手順間違い等によるデータ不一致状態が生じてしまうことがない。
【図面の簡単な説明】
【図１】本発明の一実施の形態である情報処理システム及びデータ記憶システムの構成例を示す概念図である。
【図２】本発明の一実施例の形態であるデータ記憶システムの一部を示した概念図である。
【図３】本発明の一実施の形態である情報処理システム及びデータ記憶システムの処理の一例を示すフローチャートである。
【符号の説明】
１…上位装置（正側）、２・・・記憶制御装置（正側）、３…記憶部（正側）、４…マイクロプロセッサ（正側）、５…キャッシュメモリ（正側）、６…チャネルポート（正側）、７，１３…記憶制御装置間チャネルポート、８…上位装置（副側）、９・・・記憶制御装置（副側）、１０…記憶部（副側）、１１…マイクロプロセッサ（副側）、１２…キャッシュメモリ（副側）、１４…チャネルポート（副側）、７，１３…記憶制御装置間チャネルポート、１５…ＤＫＣ間インターフェースケーブル
【図１】
2004030254.tif 000003
【図２】
2004030254.tif 000004
【図３】
2004030254.tif 000005